(57)【特許請求の範囲】
【請求項１】
建物開口部の下方部位を屋外側シートと、屋内側シートによって閉鎖する浸水防止構造であって、
前記屋外側シートは、
左右の側縁部と下縁部とからなり、建物開口部の左右の側壁及び床面に固着されている第１外周シートと、
防水ファスナーを介して第１外周シートの周縁に着脱可能の第１シートと、からなり、
前記屋内側シートは、
左右の側縁部と下縁部とからなり、建物開口部の左右の側壁及び床面に固着されている第２外周シートと、
防水ファスナーを介して第２外周シートの周縁に着脱可能の第２シートと、からなる、
浸水防止構造。
【請求項２】
前記第１シートの高さは、第２シートの高さよりも低背である、請求項１に記載の浸水防止構造。
【請求項３】
前記側壁の内部には、前記第１シート、前記第２シートを、それぞれ第１外周シート、第２外周シートから離脱した状態で収納する収納部が形成されている、請求項１、２いずれかに記載の浸水防止構造。
【請求項４】
前記第１外周シート、前記第２外周シートは、建物開口部の左右の側壁及び床面に形成された凹部内に収納されており、浸水防止時には、前記第１外周シート、前記第２外周シートの周縁が左右の側壁及び床面の外側に位置するように引き出された姿勢となる、請求項１〜３いずれか１項に記載の浸水防止構造。
【発明の詳細な説明】
【技術分野】
【０００１】
本発明は、建物開口部の浸水防止構造に関するものである。
【背景技術】
【０００２】
近年、異常気象によるゲリラ豪雨が頻繁に発生し、都市部において、地下鉄構内やビル地階への雨水の浸入事故が発生している。非常時に建築物等の入り口等に設置して、外部の水が建物内に浸入するのを防ぐ要素として防潮板が知られている。
【０００３】
現在、地下鉄の出入り口に設置される防潮板としては、主としてパネル脱着式防潮板が用いられている。しかしながら、地上階の出入り口にはパネル脱着式防潮板のパネルを保管するスペースが無いため、パネルは地階に保管されており、防潮板を設置する際に、重量のあるパネル複数枚を地階から運んで取り付ける必要があり、設置に時間及び手間を要していた。パネルの設置に手間取ると、地階への浸水を招くおそれもあり、また、迅速な設置には複数人での作業が必要となる。
【０００４】
一方、シートタイプの防潮板も知られている。シートタイプの防潮板では、通常、床内にシートを収納しておき、使用時に床内からシートを引き上げて、両側の縁部シートに水密ファスナーで取り付けるようにしている（特許文献１）。しかしながら、既設の現場（例えば、地下鉄の出入り口）では、床内のスペースが限定されている場合が多く、シートを収納するスペースが確保できない現場も多い。
【０００５】
また、地下鉄構内やビル地階への浸水のおそれがある非常時において、地下鉄構内やビル地階にいる人々の外部への避難路を確保する必要もある。
【０００６】
【特許文献１】特開２００１−１８２４５２
【発明の開示】
【発明が解決しようとする課題】
【０００７】
本発明は、上記課題を解決することができる浸水防止構造を提供することを目的とする。
【課題を解決するための手段】
【０００８】
かかる課題を解決するべく本発明が採用した技術手段は、
建物開口部の下方部位を屋外側シートと、屋内側シートによって閉鎖する浸水防止構造であって、
前記屋外側シートは、左右の側縁部と下縁部とからなり、建物開口部の左右の側壁及び床面に固着されている第１外周シートと、防水ファスナーを介して第１外周シートの周縁に着脱可能の第１シートと、からなり、
前記屋内側シートは、左右の側縁部と下縁部とからなり、建物開口部の左右の側壁及び床面に固着されている第２外周シートと、防水ファスナーを介して第２外周シートの周縁に着脱可能の第２シートと、からなる、浸水防止構造、である。
１つの態様では、前記第１シートの高さは、第２シートの高さよりも低背である。
後述する実施形態では、第１外周シートの高さも、第２外周シートの高さよりも低背となっている。
【０００９】
１つの態様では、前記側壁の内部には、前記第１シート、前記第２シートを、それぞれ第１外周シート、第２外周シートから離脱した状態で収納する収納部が形成されている。
【００１０】
１つの態様では、前記第１外周シート、前記第２外周シートは、建物開口部の左右の側壁及び床面に形成された凹部内に収納されており（第１外周シート、第２外周シートの基端縁が凹部内に固着されている）、浸水防止時には、前記第１外周シート、前記第２外周シートの周縁（自由端縁）が左右の側壁及び床面の外側に位置するように引き出された姿勢となる。
【発明の効果】
【００１１】
本発明では、第１シート、第２シートは、パネルに比べて軽量であり、屋外側シート、屋内側シートの設置の作業性が良く、一人で設置作業を行うことも可能である。
屋内側シートを張設する時に既に水が出ていたとしても、当該水は屋外側シートによって食い止められているため、水中で作業するような場合に比べて、屋内側シートの張設する際の作業性が良好である。
前記第１シート、前記第２シートを、それぞれ第１外周シート、第２外周シートから離脱した状態で開口部近傍の側壁内の収納部に収納しておけば、屋外側シート、屋内側シートの設置時に速やかに取り出して用意することができる。
【００１２】
第１シート、第２シートを、躯体側に固定された第１外周シート、第２外周シートから独立させて別途収納するようにしたので、屋外側シート、屋内側シートを設置したい場所の床内に十分なスペースが無い場合であっても（外周シートの下縁部を収納するスペースだけあればよい）、浸水防止構造を構築することができる。
【００１３】
建物開口部の下方部位を屋外側シートと屋内側シートとで２重に閉鎖することで、水圧や浮遊物に対する浸水防止構造の強度を向上させることができ、浸水防止効果を良好に維持することができる。
屋外側シートの第１シートの高さを屋内側シートの第２シートの高さよりも低背として、第１シートの高さを通行人が跨げるような高さに設定することによって、所定の水位の水が開口部から浸水することを防止する一方、当該開口部を地下鉄構内やビル地階にいる人々の外部への避難路として機能させることができる。
【図面の簡単な説明】
【００１４】
【図１】建物開口部の下方部位の通常時の平面図及び正面図である。
【図２】建物開口部の下方部位の通常時の縦断面図である。
【図３】建物開口部の下方部位の１次閉鎖時の平面図及び正面図である。
【図４】建物開口部の下方部位の１次閉鎖時の縦断面図である。
【図５】建物開口部の下方部位の２次閉鎖時の平面図及び正面図である。
【図６】建物開口部の下方部位の２次閉鎖時の縦断面図である。
【図７】建物開口部の下方部位の２次閉鎖時の概略斜視図である。
【発明を実施するための形態】
【００１５】
図１は、通常時（豪雨等による地下構等内への水の浸水のおそれが無い場合）における、通路口の下方部位の正面図及び平面図である。通路口は、例えば、地下鉄や地下街の出入り口である。通路口の下方部位は、左右の垂直状の側壁１、２と、水平状の床面３と、によって凹状に規定された開口である。豪雨時等に浸水のおそれがある場合には、１次閉鎖用の屋外側シートと、２次閉鎖用の屋内側シートによって、通路口の下方部位を床面から所定高さに亘って閉鎖することで、地階への雨水の侵入を防止するようになっている。
【００１６】
屋外側シートは、第１シート４と、第１シート４が着脱可能に装着される第１外周シート５と、からなる。屋内側シートは、第２シート６と、第２シート６が着脱可能に装着される第２外周シート７と、からなる。第１シート４を第１外周シート５に装着して張設し、第２シート６を第２外周シート７に張設した状態において、第１シート４、第１外周シート５は、第２シート６、第２外周シート７に対して屋外側に位置することになる。
【００１７】
第１外周シート５は、躯体側（左右の側壁１、２及び床面３）に固定されている。より具体的には、第１外周シート５は、左右の側壁１、２に沿って設けた左右の側縁部５０、５１、床面３に沿って設けた底縁部５２と、からＵ形状に形成された帯状のシートである。左右の側縁部５０、５１は第１の高さを備えており、底縁部５２は開口部の全幅に亘って延びている。第１外周シート５（左右の側縁部５０、５１、底縁部５２）の基端縁は躯体側に固定されており、第１外周シート５（左右の側縁部５０、５１、底縁部５２）の周縁（自由端縁）には防水ファスナーＦの第１係合部が周縁に亘って連続状に形成されている。側縁部５０、５１の幅寸法は、当該側縁部５０、５１を収納状態から引き出した時に、側壁１、２よりも外側にはみ出すような寸法となっている。底縁部５２の幅寸法は、当該底縁部５２を収納状態から引き出した時に、床面３よりも外側（上側）にはみ出すような寸法となっている。
【００１８】
第１シート４は、第１の高さと第１の幅を備えた方形状のシートであり、１つの態様では、第１シート４の第１の高さは第１外周シート５の側縁部５０、５１の第１の高さと同じである。第１シート４の周縁、具体的には、左右の側縁、下縁、には、防水ファスナーＦの第１係合部（第１外周シート５の周縁に形成されている）に係脱する第２係合部が周縁に亘って連続状に形成されている。防水ファスナーＦを介して、第１シート４の左右の側縁、下縁を、第１外周シート５の左右の側縁部５０、５１、底縁部５２の縁に水密性を確保した状態で接続することで、屋外側シートが張設される（１次閉鎖）。図示の態様では、第１シート４の第１の幅は、開口幅よりも少し小さく、左右の側縁が開口部の側壁から引き出された第１外周シート５の左右の側縁部５０、５１の縁に接続された状態で、開口部を閉鎖できるような寸法となっている。
【００１９】
第２外周シート７は、躯体側（左右の側壁１、２及び床面３）に固定されている。より具体的には、第２外周シート７は、左右の側壁１、２に沿って設けた左右の側縁部７０、７１、床面３に沿って設けた底縁部７２と、からＵ形状に形成された帯状のシートである。図３、図５の正面図において、側縁部７０、７１の下方部位、底縁部７２は、第１外周シート５の側縁部５０、５１、底縁部５２によって隠れている。左右の側縁部７０、７１は第２の高さを備えており、底縁部７２は開口部の全幅に亘って延びている。第２外周シート７（左右の側縁部７０、７１、底縁部７２）の基端縁は躯体側に固定されており、第２外周シート７（左右の側縁部７０、７１、底縁部７２）の周縁（自由端縁）には防水ファスナーＦの第１係合部が周縁に亘って連続状に形成されている。側縁部７０、７１の幅寸法は、当該側縁部７０、７１を収納状態から引き出した時に、側壁１、２よりも外側にはみ出すような寸法となっている。底縁部７２の幅寸法は、当該底縁部７２を収納状態から引き出した時に、床面３よりも外側（上側）にはみ出すような寸法となっている。
【００２０】
第２シート６は、第２の高さと第２の幅を備えた方形状のシートであり、１つの態様では、第２シート６の第２の高さは第２外周シート７の側縁部７０、７１の第２の高さと同じである。第２シート６の周縁、具体的には、左右の側縁、下縁、には、防水ファスナーＦの第１係合部（第２外周シート７の周縁に形成されている）に係脱する第２係合部が周縁に亘って連続状に形成されている。防水ファスナーＦを介して、第２シート６の左右の側縁、下縁を、第２外周シート７の左右の側縁部７０、７１、底縁部７２の縁に水密性を確保した状態で接続することで、屋内側シートが張設される（２次閉鎖）。図示の態様では、第２シート６の第２の幅は、開口幅よりも少し小さく、左右の側縁が開口部の側壁から引き出された第２外周シート７の左右の側縁部７０、７１の縁に接続された状態で、開口部を閉鎖できるような寸法となっている。
【００２１】
図６、図７から明らかなように、第２シート６の第２の高さは第１シート４の第１の高さよりも高い。１つの態様では、第１の高さが３５０ｍｍ、第２の高さが１０００ｍｍである。本実施形態では、第１シート４の高さと第１外周シート５の高さが同じであり、第２シート６の高さと第２外周シート７の高さが同じであるので、第２外周シート７の第２の高さは第１外周シート５の第１の高さよりも高い。第１シート４の第１の高さは、避難可能な高さとして適宜設定された高さである。３５０ｍｍ程度の高さであれば、所定の水位の浸水を食い止める一方、通行人が容易に跨ぐことができる。１０００ｍｍ程度の高さであれば、想定し得る水位に対応することが可能であると考えられる。第１の高さ、第２の高さは、３５０ｍｍ、１０００ｍｍに限定されるものではなく、設置場所等に応じて当業者において適宜変更し得る。
【００２２】
側壁１、２には、開口高方向に延びる凹部１０、２０が形成されており、床面３には、開口幅方向に延びる凹部３０が形成されている。第１外周シート５の側縁部５０の基端縁、第２外周シート７の側縁部７０の基端縁は凹部１０内（図示の態様では底部）に固定されている。第１外周シート５の側縁部５１の基端縁、第２外周シート７の側縁部７１の基端縁は凹部２０内（図示の態様では底部）に固定されている。第１外周シート５の底縁部５２の基端縁、第２外周シート７の底縁部７２の基端縁は凹部３０内（図示の態様では底部）に固定されている。図示の態様では、第１外周シート５の基端縁と第２外周シート７の基端縁は重ね合わせて一体で固定されている。
【００２３】
通常時には、第１外周シート５、第２外周シート７は、開口部の側壁１、２、床面３内に形成された凹部１０、２０、３０内に収納されている。第１外周シート５、第２外周シート７は、凹部１０、２０、３０内の収納姿勢から引き出された状態において、防水ファスナーＦの第１係合部が形成されている周縁（自由端縁）が開口部の側壁１、２、床面３の外側に引き出されるような幅寸法を備えている。第１外周シート５、第２外周シート７は、細幅の帯状片であるため、これらの帯状片を収納するための凹部１０、２０、３０はいずれも省スペースで済む。通常時には、凹部１０、２０、３０は、それぞれ、回動可能あるいは着脱可能なカバー１１、２１、３１によって塞がれている。カバーの紛失のおそれを考慮すると、カバーは側壁１、２、床面３に対して回動可能に連結されているものが望ましい。
【００２４】
側壁１、２には、凹部１０、２０の屋内側に位置して、第１シート４、第２シート６の収納部８、９が形成されている。左右の側壁１、２の内部に形成された収納部８、９は、開閉可能なカバー（図示せず）によって覆われている。カバーは、例えば、側壁１、２を形成する柱部ないし壁部の側面あるいは上面に形成される。通常時には、第１シート４、第２シート６はそれぞれ折り畳まれて収納部８、９に収納されている。図示の態様では、左側の収納部８に第１シート４が収納され、右側の収納部９に第２シート６が収納されている。同じ収納部に第１シート４、第２シート６を収納してもよい。
【００２５】
このように構成された浸水防止構造において、いま豪雨警報等の災害発生警報がもたらせられると、第１シート４、第２シート６を収納部８、９からそれぞれ取り出して用意すると共に、カバー１１、２１、３１を開放して、躯体側に固定されている第１外周シート５、第２外周シート７をそれぞれ凹部１０、２０、３０から引き出す。そして、第１シート４の周縁の防水ファスナーＦの第２係合部を、第１外周シート５の周縁の防水ファスナーＦの第１係合部に係合させて接続することで、屋外側シートを張設する（１次閉鎖：図３、図４）。１次閉鎖において、第１シート４の周縁（左右の側縁、下縁）と第１外周シート５の周縁（左右の側縁部５０、５１、底縁部５２の縁）は、これら周縁に亘って連続する防水ファスナーＦによって連続状に切れ目なく接続されており、接続部における水密性が確保されている。１次閉鎖では、屋外側シートによって外部からの水の浸入を食い止める一方、屋外側シートの高さは３５０ｍｍなので、通行者は容易に屋外側シートを跨ぐことができ、出入り口の通行に支障を来すことがなく、地階の人を容易に脱出させることができる。
【００２６】
屋外側シートの高さを越えて水位が上昇することが想定される場合には、第２シート６の周縁の防水ファスナーＦの第２係合部を、第２外周シート７の周縁の防水ファスナーＦの第１係合部に係合させて接続することで、屋内側シートを張設する（２次閉鎖：図５、図６、図７）。２次閉鎖において、第２シート６の周縁（左右の側縁、下縁）と第２外周シート７の周縁（左右の側縁部７０、７１、底縁部７２の縁）は、これら周縁に亘って連続する防水ファスナーＦによって連続状に切れ目なく接続されており、接続部における水密性が確保されている。２次閉鎖では、屋内側シートの高さは１０００ｍｍなので、仮に、屋外側シートの高さを越える水位となっても、屋内側シートによって水の浸入を食い止めることができる。地階に避難者がいないことが確認できているような場合には、屋外側シートと同時に屋内側シートを張設してもよく、あるいは、屋内側シートのみを張設してもよい。また、第１シート４、第１外周シート５、第２シート６、第２外周シート７に加えて、さらに、第３シート、第３外周シートを設けてもよく、そのような構成も本発明の権利範囲に含まれる。
【００２７】
第１シート４、第２シート６は、パネルに比べて軽量であり、また、開口部近傍に収納されているので、第１シート４、第２シート６の設置作業を一人で行うことができる。屋内側シートを張設する時に既に水が出ていたとしても、当該水は屋外側シートによって食い止められているため、屋内側シートの張設する際の作業性が良い。
【００２８】
第１シート４、第１外周シート５、第２シート６、第２外周シート７の材質は、強度、透水性等を考慮して当業者により適宜選択することができる。防水ファスナーにより、第１シート４と第１外周シート５、第２シート６と第２外周シート７をそれぞれ接続した状態において、適宜ロック手段によってファスナーによる接続状態を保持するようにしてもよい。
【符号の説明】
【００２９】
１  側壁
２  側壁
３  床面
４  第１シート
５  第１外周シート
６  第２シート
７  第２外周シート
Ｆ  防水ファスナー
【図１】
0005872375.tif 000002
【図２】
0005872375.tif 000003
【図３】
0005872375.tif 000004
【図４】
0005872375.tif 000005
【図５】
0005872375.tif 000006
【図６】
0005872375.tif 000007
【図７】
0005872375.tif 000008